(57)【要約】【課題】エレベーターを使用して建造物内の各階における携帯電話、ＰＨＳ、無線ＬＡＮ等の各種無線通信が使用可能か否かの情報を提供する建造物内無線通信状況情報案内システムを提供する。【解決手段】各階での使用可能な無線通信の種類を検出する無線通信可否検出手段１４及び検出された情報を無線通信状況情報として蓄積するかご上情報蓄積手段１２を含むかご上側装置１０、建造物内の所定のフロアーに設置されたフロアー側装置２０、無線通信状況情報をかご上側装置からフロアー側装置へ送る伝送手段１５，２５を備え、フロアー側装置がかご上側装置から伝送された無線通信状況情報を蓄積するフロアー側情報蓄積手段２２及び蓄積された無線通信状況情報をフロアーにいる利用者に対して表示又は利用者からの配信要求に応答し配信するフロアー側情報提供手段２３，２６と、を含む。【選択図】図１
2005060010.tif 000002
【特許請求の範囲】
【請求項１】
エレベーターかご上に設置され、各階での使用可能な無線通信の種類を検出する無線通信可否検出手段と、検出された情報を無線通信状況情報として蓄積するかご上情報蓄積手段と、を含むかご上側装置と、
建造物内の所定のフロアーに設置されたフロアー側装置と、
上記無線通信状況情報を上記かご上側装置から上記フロアー側装置へ送る伝送手段と、
を備え、
上記フロアー側装置が、上記かご上側装置から伝送された無線通信状況情報を蓄積するフロアー側情報蓄積手段と、蓄積された無線通信状況情報をフロアーにいる利用者に対して表示するか利用者からの配信要求に応答して配信するかの少なくとも一方により提供するフロアー側情報提供手段と、を含む、
ことを特徴とするエレベーターを使用した建造物内無線通信状況情報案内システム。
【発明の詳細な説明】
【技術分野】
【０００１】
この発明はエレベーターを使用して建造物内の各階(エリア)における携帯電話、ＰＨＳ、無線ＬＡＮ等の各種無線通信が使用可能か否かの情報を提供するエレベーターを使用した建造物内無線通信状況情報案内システムに関する。
【背景技術】
【０００２】
従来、建造物内においてエレベーターシステムを使用して利用者の携帯通信端末に情報を提供するシステムがある(例えば特許文献１参照)。
【０００３】
【特許文献１】特開２００２−１６７１３１号公報
【発明の開示】
【発明が解決しようとする課題】
【０００４】
しかしながらこのような建造物内においてエレベーターシステムを使用して利用者の携帯通信端末に情報を提供する従来のシステムにおいては、建造物内のどの階(エリア)でどの種類の無線通信が使用可能であるかという情報は得られず、利用者は実際にそのエリアで携帯通信端末を使用してみないと無線通信の使用可否が分からなかった。
【０００５】
この発明は上記の課題を解消するためになされたもので、エレベーターを使用して建造物内の各階(エリア)における携帯電話、ＰＨＳ、無線ＬＡＮ等の各種無線通信が使用可能か否かの情報を提供するエレベーターを使用した建造物内無線通信状況情報案内システムを提供することを目的とする。
【課題を解決するための手段】
【０００６】
この発明は、エレベーターかご上に設置され、各階での使用可能な無線通信の種類を検出する無線通信可否検出手段と、検出された情報を無線通信状況情報として蓄積するかご上情報蓄積手段と、を含むかご上側装置と、建造物内の所定のフロアーに設置されたフロアー側装置と、上記無線通信状況情報を上記かご上側装置から上記フロアー側装置へ送る伝送手段と、を備え、上記フロアー側装置が、上記かご上側装置から伝送された無線通信状況情報を蓄積するフロアー側情報蓄積手段と、蓄積された無線通信状況情報をフロアーにいる利用者に対して表示するか利用者からの配信要求に応答して配信するかの少なくとも一方により提供するフロアー側情報提供手段と、を含む、ことを特徴とするエレベーターを使用した建造物内無線通信状況情報案内システムにある。
【発明の効果】
【０００７】
この発明では、エレベーターかご内や所定のフロアーでエレベーターを使用して得られた建造物内の各階(エリア)における携帯電話、ＰＨＳ、無線ＬＡＮ等の各種無線通信が使用可能か否かの情報の提供を受けることができる。
【発明を実施するための最良の形態】
【０００８】
実施の形態１．
図１はこの発明の一実施の形態によるエレベーターを使用した建造物内無線通信状況情報案内システムの構成を示した図である。建造物１の昇降路２内を昇降するエレベーターかご３にはかご上側装置１０、建造物１の例えばメインフロアー(図１では１Ｆ(１階)とした)にはフロアー側装置２０が設けられる。またこの建造物１の例えば１Ｆ、３Ｆ、４ＦにはＰＨＳや無線ＬＡＮ(例えばホットスポット(商標登録))等のための無線通信用のＡＰ(アクセスポイント)４が設けられている。図２にはかご上側装置１０、図３にはフロアー側装置２０の構成をそれぞれ示す。
【０００９】
かご上側装置１０は、エレベーターかご３が各階に停止しかつ扉(図示せず)が戸閉しているタイミングでその階で各種無線通信がそれぞれ使用可能か否かを検出し、この無線通信状況情報を蓄積しておきエレベーターかご３内の利用者に表示したり配信したりするとともに、フロアー側装置２０にも提供する。フロアー側装置２０は、かご上側装置１０から提供される無線通信状況情報を蓄積し、フロアーの利用者に表示したり配信したりする。
【００１０】
図１、２において、かご上側装置１０は、かご上側装置１０の全体を制御する制御部１１、無線通信状況情報を検出するアンテナ１４ａを有する検出器１４、同情報を蓄積するデータベース１２、エレベーターかご３内の利用者のために表示するディスプレイ１３、利用者の携帯電話等の携帯通信端末１００に配信するＡＰ１６、フロアー側装置２０に無線通信に送信する送信器１５がバス１７に接続されている。
【００１１】
また図１、３において、フロアー側装置２０は、フロアー側装置２０の全体を制御する制御部２１、かご上側装置１０の送信器１５からの無線通信状況情報を受信する受信器２５、同情報を蓄積するデータベース２２、設けられたフロアー(図１では１Ｆ)にいる利用者のために表示するディスプレイ２３、利用者の携帯電話等の携帯通信端末１００に配信するＡＰ２６がバス２７に接続されている。
【００１２】
次に、図４のフローチャートに従ってかご上側装置１０での動作を説明する。制御部１１はこれに入力されるエレベーターかご３の制御装置(図示せず)から得られるエレベーターかご３の各階での停止を示す停止信号ＡＲと扉の戸開閉を示す戸開閉信号ＤＲに基づき、エレベーターかご３が各階に停止していてかつ扉が戸閉しているタイミングにおいて(扉の戸開状態ではかご３内のＡＰ１６により正確な検出が行えないため)(ステップＳ１)、アンテナ１４ａを有する検出器１４によりその階での携帯電話、ＰＨＳ、および各種無線ＬＡＮ等の各種無線通信のそれぞれの使用が可能か否かを検出する(ステップＳ２)。すなわち各階での使用可能な無線通信の種類を検出する。これらの検出された無線通信状況情報はデータベース１２に蓄積、更新される(ステップＳ３)と共に、フロアー側装置２０に送信器１５により送信されて提供される(ステップＳ４)。また蓄積、更新された無線通信状況情報は、常にあるいは所定時間間隔でエレベーターかご３内の利用者のためにディスプレイ１３に表示され、また利用者の携帯通信端末１００からの配信要求に応答してＡＰ１６から無線通信状況情報が配信される(ステップＳ５)。
【００１３】
次に、図５のフローチャートに従ってフロアー側装置２０での動作を説明する。制御部２１は受信器２５でかご上側装置１０からの無線通信状況情報を受信すると(ステップＳ１１)、これらの情報をデータベース２２に蓄積、更新する(ステップＳ１２)。また蓄積、更新された無線通信状況情報は、常にあるいは所定時間間隔でフロアー側装置２０が設置されたフロアーの利用者のためにディスプレイ２３に表示され、また利用者の携帯通信端末１００からの配信要求に応答してＡＰ２６から無線通信状況情報が配信される(ステップＳ１３)。
【００１４】
なお、エレベーターかご３内およびフロアーにおいて利用者が無線通信状況情報の配信を要求するために必要なアドレス等は、例えばディスプレイ１３、２３に表示してもよいし、またＩＤやパスワードを設けて特定の利用者にのみ提供する場合には、予め会員制にしてＩＤ、パスワード等の情報を通知しておくようにすればよい。さらに携帯通信端末１００で配信を要求して得られる情報を、ディスプレイ１３、２３で表示されているものよりより詳しいものとする等、ディスプレイ１３、２３での表示情報と携帯通信端末１００への配信情報とで格差を付けるようにしてもよい。
【００１５】
また、上記フロアー側装置２０は建造物の何階に設置されてもよく、また複数階にそれぞれ設置されてもよい。
【００１６】
また、アンテナ１４ａを有する検出器１４による各種無線通信の使用の可否を検出するタイミングは、エレベーターかご３が各階に停止していてかつ扉が戸閉しているタイミングであれば、戸開前でも戸閉後であってもよい。またエレベーターかご３内で発生する電波の影響を受けないように扉が戸閉しているタイミングとしているが、この影響が小さい場合には、エレベーターかご３が各階に停止している間であればどのタイミングで各種無線通信の使用の可否を検出してもよく、扉が戸閉しているタイミングに限定されない。
【００１７】
また、無線通信状況情報の利用者への表示および配信は、エレベーターかご３内だけでも、フロアー側装置２０の設けられたフロアー側だけでもよく、前者の場合にはフロアー側装置２０はなくてもよい。さらに無線通信状況情報の利用者への提供は表示だけでも配信だけでもよい。
【００１８】
また、かご上側装置１０の送信器１５とフロアー側装置２０の受信器２５からなる通信手段の周波数は基本的に検出器１４で通信の可否を検出する対象の無線通信と周波数帯を異にするものとする。さらに検出器１４での誤検出を考慮すると、このかご上側装置１０からフロアー側装置２０への無線通信状況情報の伝送は、無線の通信手段ではなく、有線の通信手段(伝送手段)とするのがより望ましい。
【００１９】
また、検出器１４は例えば各階で受信する電波の周波数から使用可能な無線通信の種類を求めるものとしてもよいが、検出器１４として各種無線通信における無線通信情報の内容も受信可能な受信機能も含むものを使用すれば、無線通信状況情報は無線通信の使用の可否と共に、各階で使用可能な無線通信で得られる実際の無線通信情報の内容、例えばホットスポット等による実際のその建造物内のテナントの案内やこれらのテナントに関するコマーシャルを含むものであってもよい。
【産業上の利用可能性】
【００２０】
建造物が高層化する近年、建造物内で横方向に区切られた各階毎の情報を、これらの階を貫く建造物の縦方向に移動可能なエレベーターかごにより収集し、収集された情報を利用者に表示したり配信して提供することは、多種多様な分野に利用可能であり、相当の効果が得られる。
【図面の簡単な説明】
【００２１】
【図１】この発明の一実施の形態によるエレベーターを使用した建造物内無線通信状況情報案内システムの構成を示した図である。
【図２】図１のかご上側装置の構成を示した図である。
【図３】図１のフロアー側装置の構成を示した図である。
【図４】図１のかご上側装置の動作を示すフローチャートである。
【図５】図１のフロアー側装置の動作を示すフローチャートである。
【符号の説明】
【００２２】
１  建造物、２  昇降路、３  エレベーターかご、４，１６，２６  ＡＰ(アクセスポイント)、１０  かご上側装置、１１，２１  制御部、１２，２２  データベース、１３，２３  ディスプレイ、１４  検出器、１４ａ  アンテナ、１５  送信器、１７，２７  バス、２０  フロアー側装置、２５  受信器。
【図１】
2005060010.tif 000003
【図２】
2005060010.tif 000004
【図３】
2005060010.tif 000005
【図４】
2005060010.tif 000006
【図５】
2005060010.tif 000007